(57)【要約】【課題】無用に包装容器が廃棄されることがなく、包装容器のコストを低くすることができるようにする。【解決手段】センサと、センサ出力を入力信号として受けて次の入力信号を受けるまでの学習間隔を算出する学習間隔算出処理手段と、前記学習間隔に基づく計時の終了に伴って学習出力を発生させる学習出力発生処理手段と、前記学習出力が発生させられた後に入力信号を受けたかどうかを判断する遅延判定処理手段と、最新の入力信号を受けた最新入力タイミングが、学習出力を受けた学習入力タイミングより早いかどうかを判断するタイミング判定処理手段と、各判断に基づいて検出出力を発生させる検出出力発生処理手段とを有する。各判断に基づいて検出出力が発生させられるので、包材の位置を確実に認識することができる。【選択図】図１
2008155974.tif 000002
【特許請求の範囲】
【請求項１】
（ａ）周期的にセンサ出力を発生させるセンサと、
（ｂ）前記センサ出力を入力信号として受けて計時を行い、次の入力信号を受けるまでの学習間隔を算出する学習間隔算出処理手段と、
（ｃ）前記学習間隔に基づいて計時を行い、計時の終了に伴って学習出力を発生させる学習出力発生処理手段と、
（ｄ）前記学習出力が発生させられた後に入力信号を受けたかどうかを判断する遅延判定処理手段と、
（ｅ）最新の入力信号を受けたタイミングを最新入力タイミングとし、学習出力を受けたタイミングを学習入力タイミングとし、最新入力タイミングが学習入力タイミングより早いかどうかを判断するタイミング判定処理手段と、
（ｆ）前記最新入力タイミングが学習入力タイミングより早いかどうかの判断、及び学習出力が発生させられた後に入力信号を受けたかどうかの判断に基づいて検出出力を発生させる検出出力発生処理手段とを有することを特徴とする充填機制御装置。
【請求項２】
（ａ）前記学習間隔算出処理手段は第１のタイマによって計時を行い、
（ｂ）前記学習出力発生処理手段は第２のタイマによって計時を行う請求項１に記載の充填機制御装置。
【請求項３】
前記検出出力発生処理手段は、最新入力タイミングが学習入力タイミングと同時、又は学習入力タイミングより早い場合、及び学習出力が発生させられた後に入力信号を受けた場合に、最新入力タイミングで検出出力を発生させ、学習出力が発生させられた後に入力信号を受けない場合に、学習入力タイミングで検出出力を発生させる請求項１に記載の充填機制御装置。
【請求項４】
（ａ）周期的に発生させられたセンサ出力を入力信号として受けて計時を行い、次の入力信号を受けるまでの学習間隔を算出し、
（ｂ）該学習間隔に基づいて計時を行い、計時の終了に伴って学習出力を発生させ、
（ｃ）該学習出力が発生させられた後に入力信号を受けたかどうかを判断し、
（ｄ）最新の入力信号を受けたタイミングを最新入力タイミングとし、学習出力を受けたタイミングを学習入力タイミングとし、最新入力タイミングが学習入力タイミングより早いかどうかを判断し、
（ｅ）前記最新入力タイミングが学習入力タイミングより早いかどうかの判断、及び学習出力が発生させられた後に入力信号を受けたかどうかの判断に基づいて検出出力を発生させることを特徴とする充填機制御方法。
【発明の詳細な説明】
【技術分野】
【０００１】
本発明は、充填機制御装置及び充填機制御方法に関するものである。
【背景技術】
【０００２】
従来、茶、ジュース、スープ、アルコール飲料等の流動性食品、例えば、液体食品を収容するブリック型等の包装容器を製造する包装容器製造装置においては、ウェブ状の包材が使用され、該包材の所定の箇所がヒートシール、超音波シール等の手法によってシールされることにより、包装容器が形成されるようになっている。すなわち、包材は、あらかじめ所定の箇所に折り目が形成され、リール状に巻かれて充填（てん）機にセットされる。そして、充填機において、前記包材は、繰り出されてチューブ状にされ、包材の内側からストリップテープを押し当てて縦シール装置によって縦方向にシールされた後、液体食品が充填され、所定の間隔で横シール装置によって横方向にシールされて切断され、枕（まくら）状の原型容器になる。さらに、該原型容器を所定の形状に成形することによって包装容器が完成される。
【０００３】
該包装容器においては、液体食品を注出する際にプルタブを引き剥（は）がすことによって、包装容器を開封することができるようになっている。そのために、包装容器の製造工程において、包材にパンチ穴が形成された後、包材の裏側（包装容器においては内側）からパッチフィルムが貼（ちょう）着され、外側からプルタブが貼着される（例えば、特許文献１参照。）。
【０００４】
ところで、前記充填機においては、包材の位置が認識され、認識された位置に応じて包材に対する各種の制御が行われる。そのために、各種のセンサが、包材に印刷されたレジスタマーク、包材に形成されたパンチ穴、包材に貼着されたパッチフィルム等を検出し、センサ出力を発生させ、充填機制御部に送ると、該充填機制御部は、各センサから送られたセンサ出力を読み込み、センサ出力に基づいて前記各種の制御を行う。
【特許文献１】特開平６−１９１６９３号公報
【発明の開示】
【発明が解決しようとする課題】
【０００５】
しかしながら、前記従来の充填機制御部においては、包材の歪（ゆが）み、表面の仕上がりのばらつき、包材への異物の付着等が原因になり、各センサにおいて、前記レジスタマーク、パンチ穴、パッチフィルム等を確実に検出することができず、センサ出力が発生されないことがある。その場合、充填機制御部は、包材の位置を認識することができなくなってしまう。
【０００６】
そこで、センサ出力を読み込むことができなかった回数をカウントし、カウント値が所定の値以上になると、警報を出し、充填機を停止させるとともに、良否に関係なく包装容器を廃棄するようにしている。その結果、包装容器のコストが高くなってしまう。
【０００７】
本発明は、前記従来の充填機制御部の問題点を解決して、無用に包装容器が廃棄されることがなく、包装容器のコストを低くすることができる充填機制御装置及び充填機制御方法を提供することを目的とする。
【課題を解決するための手段】
【０００８】
そのために、本発明の充填機制御装置においては、周期的にセンサ出力を発生させるセンサと、前記センサ出力を入力信号として受けて計時を行い、次の入力信号を受けるまでの学習間隔を算出する学習間隔算出処理手段と、前記学習間隔に基づいて計時を行い、計時の終了に伴って学習出力を発生させる学習出力発生処理手段と、前記学習出力が発生させられた後に入力信号を受けたかどうかを判断する遅延判定処理手段と、最新の入力信号を受けたタイミングを最新入力タイミングとし、学習出力を受けたタイミングを学習入力タイミングとし、最新入力タイミングが学習入力タイミングより早いかどうかを判断するタイミング判定処理手段と、前記最新入力タイミングが学習入力タイミングより早いかどうかの判断、及び学習出力が発生させられた後に入力信号を受けたかどうかの判断に基づいて検出出力を発生させる検出出力発生処理手段とを有する。
【発明の効果】
【０００９】
本発明によれば、充填機制御装置においては、周期的にセンサ出力を発生させるセンサと、前記センサ出力を入力信号として受けて計時を行い、次の入力信号を受けるまでの学習間隔を算出する学習間隔算出処理手段と、前記学習間隔に基づいて計時を行い、計時の終了に伴って学習出力を発生させる学習出力発生処理手段と、前記学習出力が発生させられた後に入力信号を受けたかどうかを判断する遅延判定処理手段と、最新の入力信号を受けたタイミングを最新入力タイミングとし、学習出力を受けたタイミングを学習入力タイミングとし、最新入力タイミングが学習入力タイミングより早いかどうかを判断するタイミング判定処理手段と、前記最新入力タイミングが学習入力タイミングより早いかどうかの判断、及び学習出力が発生させられた後に入力信号を受けたかどうかの判断に基づいて検出出力を発生させる検出出力発生処理手段とを有する。
【００１０】
この場合、最新入力タイミングが学習入力タイミングより早いかどうかの判断、及び学習出力が発生させられた後に入力信号を受けたかどうかの判断に基づいて検出出力が発生させられるので、包材の位置を確実に認識することができる。
【００１１】
したがって、無用に包装容器が廃棄されることがなく、包装容器のコストを低くすることができる。
【発明を実施するための最良の形態】
【００１２】
以下、本発明の実施の形態について図面を参照しながら詳細に説明する。
【００１３】
図２は本発明の実施の形態における包装容器製造装置の充填機を示す概念図である。
【００１４】
図において、１０はウェブ状の包材であり、該包材１０は、リール３１の状態でカセット３２に収容され、該カセット３２を介して充填機の図示されないマガジンエリア、すなわち、送出部にセットされる。前記包材１０は、紙基材、及び該紙基材の両面に樹脂、例えば、ポリエチレン樹脂のフィルムが被覆された可撓（とう）性の積層体から成り、必要に応じて紙基材とフィルムとの間にアルミニウム箔（はく）、ガスバリヤ性樹脂等から成るバリヤ層が形成され、包装容器の表面に相当する部分にあらかじめ外装用の印刷が施される。
【００１５】
図示されない繰出機によって、前記送出部から繰り出された包材１０は、搬送手段としての図示されない送り装置によって間欠的に矢印Ａ方向に搬送され、ベンディングローラｒ１、ダンパローラｒ２等を介して、ストリップテープ貼着装置３３に送られ、該ストリップテープ貼着装置３３によって包材１０の一方の縁部に沿ってストリップテープ３４が貼着される。
【００１６】
続いて、包材１０は、ベンディングローラｒ３、ｒ４を介して用紙テンショナ３５に送られた後、ベンディングローラｒ５に送られる。その間に、搬送される包材１０の所定の箇所に、パンチ装置３７によって穴開加工が施されてパンチ穴が形成され、貼着装置３８によって、包材１０の外側からプルタブが、包材１０の内側からパッチフィルムが貼着されて、前記パンチ穴が外側及び内側からシールされる。そのために、前記パンチ装置３７と前記貼着装置３８との間に供給装置３９が配設され、該供給装置３９において、プルタブが包材１０の上方から、パッチフィルムが包材１０の下方から供給される。なお、前記ストリップテープ、パッチフィルム等によってインナフィルムが構成される。
【００１７】
続いて、包材１０は、用紙テンショナ４３及びベンディングローラｒ６、ｒ７を介して殺菌槽６１に送られ、該殺菌槽６１において過酸化水素等の殺菌液に浸漬され、殺菌される。なお、６２は該殺菌液を収容する底部トレイである。
【００１８】
その後、包材１０は、カレンダローラｒ８を介してエアナイフ４５に送られ、該エアナイフ４５によって乾燥させられた後、ベンディングローラｒ９、クリースローラｒ１０及びベンディングローラｒ１１を介してアッパ成形リング４８に送られる。そして、包材１０は、前記アッパ成形リング４８、可動成形リング４９、分割成形リング５０及びロワ成形リング５１等のフォーミングローラによって徐々に変形させられてチューブ状にされ、縦シール装置５３によって縦方向にシールされ、充填パイプ５２を介して供給された流動性食品、例えば、液体食品が包材１０内に充填される。
【００１９】
続いて、包材１０は、チューブ支持ローラｒ１２によって案内され、シール・切断部ｐ１に送られ、該シール・切断部ｐ１において、図示されないフォールディングフラップによって、予備的に成形されて枕状にされ、図示されないシール・切断装置によって挟まれ、所定の間隔ごとに横シール装置によって横方向にシールされ、カッタによって切断されて枕状の原型容器３６になる。そして、該原型容器３６は、図示されない最終成形搬送装置によって所定の形状に成形され、一定量の液体食品を収容する包装容器になる。
【００２０】
ところで、前記構成の充填機においては、あらかじめ設定された箇所で包材１０の位置が検出され、検出された位置に応じて包材１０に対する各種の制御が行われる。そのために、各種のセンサが、包材１０に印刷されたレジスタマーク、包材１０に形成されたパンチ穴、包材１０に貼着されたパッチフィルム等を検出し、センサ出力を発生させ、主制御部としての充填機制御部に送ると、該充填機制御部は、各センサから送られたセンサ出力を読み込み、センサ出力に基づいて前記各種の制御を行う。
【００２１】
すなわち、充填機制御部は、第１に、デザインコレクションの制御を行い、該デザインコレクションの制御において、図示されない第１のセンサが包材１０に印刷されたレジスタマークを検出し、センサ出力を充填機制御部に送る。該充填機制御部のシール・切断処理手段は、シール・切断処理を行い、センサ出力に基づいて包材１０の位置を認識し、包材１０の位置に対応させてフォールディングフラップの動作量を設定し、包材１０を横方向にシールする位置、及び包材１０を切断する位置を制御する。
【００２２】
また、前記充填機制御部は、第２に、プルタブ貼着の制御を行い、該プルタブ貼着の制御において、図示されない第２のセンサが前記レジスタマークを検出し、センサ出力を充填機制御部に送る。該充填機制御部のプルタブ貼着処理手段は、プルタブ貼着処理を行い、センサ出力に基づいて包材１０の位置を認識し、包材１０の位置に対応させて包材１０の所定の箇所にパンチ穴を形成し、パッチフィルム及びプルタブを貼着する。
【００２３】
そして、前記充填機制御部は、第３に、ＡＳＵ制御を行い、該ＡＳＵ制御において、図示されない第３のセンサが前記レジスタマークを検出し、センサ出力を充填機制御部に送る。該充填機制御部の包材接続処理手段は、包材接続処理を行い、センサ出力に基づいて包材１０の位置を認識し、包材１０の位置に対応させて古いリール３１の包材１０と新しいリール３１の包材１０とを接続する。
【００２４】
また、前記充填機制御部は、第４に、ＰＨＤ制御を行い、該ＰＨＤ制御において、第４のセンサが包材１０に形成されたパンチ穴の位置を検出し、センサ出力を充填機制御部に送る。該充填機制御部のピンホール検出処理手段は、ピンホール検出処理を行い、センサ出力に基づいて包材１０の位置を認識し、包材１０の位置に対応させて、パッチフィルムにおいて形成されたピンホールを検出する。
【００２５】
さらに、前記充填機制御部は、第５に、ＰＰＤ制御を行い、該ＰＰＤ制御において、第５のセンサが包材１０に貼着されたパッチフィルムの位置を検出し、センサ出力を充填機制御部に送る。該充填機制御部のパッチフィルム検出処理手段は、パッチフィルム検出処理を行い、センサ出力に基づいて包材１０の位置を認識し、包材１０の位置に対応させてパッチフィルムのずれを検出する。
【００２６】
ところで、包材１０の歪み、表面の仕上がりのばらつき、包材１０への異物の付着等が原因になり、各第１〜第５のセンサにおいて、前記レジスタマーク、パンチ穴、パッチフィルム等を確実に検出することができず、センサ出力が発生されないことがある。そして、それに伴い、充填機制御部において、包材１０の位置を認識することができなくなると、良否に関係なく包装容器が廃棄されるので、包装容器のコストが高くなってしまう。
【００２７】
そこで、本実施の形態においては、所定のセンサにおいてセンサ出力が発生されない場合でも、充填機制御部において、センサ出力に代わる擬似的なセンサ出力（以下「内部出力」という。）を発生させ、内部出力に基づいて、包材１０の位置を認識するようにしている。
【００２８】
次に、前記各第１〜第５のセンサのセンサ出力が発生されない場合の充填機制御装置の動作について説明する。なお、この場合、各第１〜第５のセンサのセンサ出力が発生されない場合の充填機制御装置の動作は同じであるので、第１のセンサのセンサ出力が発生されない場合の充填機制御装置の動作についてだけ説明する。
【００２９】
図１は本発明の実施の形態における充填機制御装置の制御ブロック図、図３は本発明の実施の形態における充填機制御装置の動作を示すフローチャートである。
【００３０】
図において、７０は充填機制御装置、１１は主制御部としての充填機制御部、１２は第１のセンサ、１３は副制御部としての入出力制御部、１４は第１の計時用のタイマとしての学習用タイマ、１５は第２の計時用のタイマとしての学習間隔出力用タイマ、１６は監視用のタイマとしての出力間隔監視用タイマ、１７は報知部としての警報器である。
【００３１】
前記第１のセンサ１２が正常に機能していて、包材１０の歪み、表面の仕上がりのばらつき、包材１０への異物の付着等が発生していない場合、第１のセンサ１２は、包材１０に印刷されたレジスタマークを検出し、周期的にセンサ出力を発生させ、入出力制御部１３を介して充填機制御部１１に送る。
【００３２】
そして、センサ出力が送られると、前記入出力制御部１３の図示されない学習間隔算出処理手段としての第１の計時処理手段は、学習間隔算出処理としての第１の計時処理を行い、センサ出力が発生する周期を学習間隔（学習値）として算出する。そのために、前記第１の計時処理手段は、センサ出力を入力信号として受け、そのタイミングで学習用タイマ１４によって計時を開始する。続いて、前記第１の計時処理手段は、次の入力信号を受けると、学習用タイマ１４のカウント値を読み込み、該カウント値を前記学習間隔とする。
【００３３】
また、前記第１の計時処理手段は、再び学習用タイマ１４による計時を零（０）から開始する。そのために、学習用タイマ１４は、入力信号を受けたかどうかに関係なく、常に作動させられる。
【００３４】
そして、前記入出力制御部１３の図示されない学習出力発生処理手段としての第２の計時処理手段は、学習出力発生処理としての第２の計時処理を行い、前記学習間隔に基づいて、前述されたように、センサ出力に代わる内部出力（学習出力）を発生させる。そのために、前記第２の計時処理手段は、前記学習間隔を読み込み、学習間隔をタイムアップ値として、学習間隔出力用タイマ１５にセットし、学習間隔出力用タイマ１５によって計時を開始する。そして、該学習間隔出力用タイマ１５が学習間隔をカウントし、タイムアップし、計時を終了すると、前記第２の計時処理手段は、前記内部出力を発生させる。
【００３５】
このようにして、前記第１の計時処理手段は、入力信号を受けるたびに、学習間隔を算出し、前記第２の計時処理手段は、前記学習間隔に基づいて内部出力を発生させる。
【００３６】
ところで、前記第２の計時処理において内部出力が発生させられるより前に、第１のセンサ１２から次の入力信号が送られてくると、前記第１の計時処理手段は、学習用タイマ１４による計時を再び開始し、カウント値を次の学習間隔として算出するが、このとき、前記第２の計時処理手段は、前回の学習間隔について学習間隔出力用タイマ１５による計時を終了していない。この場合、前記第２の計時処理手段は、次の学習間隔を読み込み、次の学習間隔をタイムアップ値として、計時を開始する。したがって、前回の学習間隔による内部出力は発生させられない。
【００３７】
また、前記第２の計時処理において内部出力が発生させられるのと同時に、第１のセンサ１２から次の入力信号が送られてくると、前記第１の計時処理手段は、学習用タイマ１４による計時を再び開始し、カウント値を次の学習間隔として算出し、このとき、前記第２の計時処理手段は、前回の学習間隔について学習間隔出力用タイマ１５による計時を終了するので、内部出力を発生させ、次の学習間隔を読み込み、次の学習間隔をタイムアップ値として、計時を開始する。
【００３８】
これに対して、前記第２の計時処理において内部出力が発生させられても、第１のセンサ１２から次の入力信号が送られてこないと、前記入出力制御部１３の図示されない遅延判定処理手段は、遅延判定処理を行い、第１のセンサ１２から次の入力信号を受けていない旨の判定を行う。
【００３９】
その後、第１のセンサ１２から次の入力信号が送られてくると、前記第１の計時処理手段は、学習用タイマ１４による計時を再び開始し、カウント値を次の学習間隔として算出し、前記第２の計時処理手段は、次の学習間隔を読み込み、次の学習間隔をタイムアップ値として、計時を開始する。
【００４０】
このとき、前記入出力制御部１３の図示されない入力信号記録処理手段は、入力信号記録処理を行い、入力信号を図示されない記憶装置に記録する。
【００４１】
続いて、入出力制御部１３の図示されないタイミング判定処理手段は、タイミング判定処理を行い、最新の入力信号を受けたタイミングを最新入力タイミングとして読み込み、学習間隔出力用タイマ１５から内部出力を受けたタイミングを学習入力タイミングとして読み込み、最新入力タイミングが、学習入力タイミングと同時であるか、又は学習入力タイミングより早いかどうかを判断する。
【００４２】
そして、入出力制御部１３の図示されない検出出力発生処理手段は、検出出力発生処理を行い、最新入力タイミングが、学習入力タイミングと同時であるか、又は学習入力タイミングより早い場合、最新の入力信号を第１のセンサ１２による検出出力として、充填機制御部１１に対して最新入力タイミングで出力（直接出力）する。
【００４３】
また、最新入力タイミングが学習入力タイミングより遅い場合、前記検出出力発生処理手段は、入力信号が記憶装置に記録されているかどうかを判断し、入力信号が記憶装置に記録されている場合、センサ出力が遅れて発生させられたと判断し、最新の入力信号を第１のセンサ１２による検出出力として発生させ、充填機制御部１１に対して最新入力タイミングで出力（直接出力）する。一方、入力信号が記憶装置に記録されていない場合、前記検出出力発生処理手段は、センサ出力が発生させられていないと判断し、最新の内部出力を第１のセンサ１２による検出出力として発生させ、充填機制御部１１に対して学習入力タイミングで出力（学習出力）する。
【００４４】
また、前記入出力制御部１３の図示されない出力間隔監視処理手段は、出力間隔監視処理を行い、出力間隔を監視する。そのために、前記出力間隔監視処理手段は、検出出力を発生させるタイミングで出力間隔監視用タイマ１６による計時を開始し、出力間隔監視用タイマ１６のカウント値が閾（しきい）値より大きくなり、出力間隔監視用タイマ１６が計時を終了すると、前記入出力制御部１３の図示されない報知処理手段は、報知処理を行い、警報器１７を鳴動させて、操作者に、前記第１のセンサ１２が正常に機能していないか、又は包材１０の歪み、表面の仕上がりのばらつき、包材１０への異物の付着等が発生していることを報知する。
【００４５】
なお、新たに検出出力が発生させられると、出力間隔監視処理手段は、出力間隔監視用タイマ１６による計時を再び零から開始する。そのために、出力間隔監視用タイマ１６は、検出出力の有無にかかわらず常に作動させられる。
【００４６】
このように、検出出力は、最新入力タイミングが、学習入力タイミングと同時であるか、又は学習入力タイミングより早い場合、最新入力タイミングのタイミングで充填機制御部１１に送られ、最新入力タイミングが学習入力タイミングより遅い場合であって、その後、入力信号が入力された場合には、最新入力タイミングのタイミングで充填機制御部１１に対して発生させられ、最新入力タイミングが学習入力タイミングより遅い場合であって、その後、入力信号が入力されない場合には、学習入力タイミングのタイミングで充填機制御部１１に対して発生させられる。
【００４７】
したがって、充填機の運転を開始した後、充填機内において包材１０の搬送速度が徐々に高くなっても、搬送速度の変化に対応させて検出出力を発生させ、充填機制御部１１に対して出力することができる。
【００４８】
そして、包材１０の搬送速度が定常状態になった場合、第１のセンサ１２が、１個又は数個のレジスタマークを検出するのが遅れたり、検索することができなくなったりした場合等でも、学習間隔に基づいて、その時点で最新の検出出力を仮想の検出出力として発生させ、充填機制御部１１に対して出力することができる。
【００４９】
このように、第１のセンサ１２において、センサ出力が遅れて発生することがあったり発生されないことがあっても、最新の入力信号が第１のセンサ１２による検出出力として発生され、充填機制御部１１に対して出力される。したがって、充填機制御部１１は、包材１０の位置を確実に認識することができる。
【００５０】
また、充填機を停止させる必要がないので、良否に関係なく無用に包装容器が廃棄されることがなくなる。その結果、包装容器のコストを低くすることができる。
【００５１】
なお、本実施の形態においては、直前の一つの学習間隔に基づいて学習入力タイミングを設定するようになっているが、直前の複数の学習間隔に基づいて学習入力タイミングを設定することができる。その場合、入出力制御部１３における応答性が低くなるが、学習入力タイミングのばらつきをなくすことができ、検出出力を安定させて発生させ、充填機制御部１１に対して出力することができる。
【００５２】
次に、フローチャートについて説明する。
ステップＳ１  入力信号を受けるのを待機する。
ステップＳ２  遅延判定処理を行う。
ステップＳ３  前回の学習間隔でタイムアップし、内部出力を送る。
ステップＳ４  最新入力タイミングが、学習タイミングと同時であるか、又は学習タイミングより早いかどうかを判断する。最新入力タイミングが、学習タイミングと同時であるか、又は学習タイミングより早い場合はステップＳ６に、学習タイミングより遅い場合はステップＳ５に進む。
ステップＳ５  入力信号が記録されているかどうかを判断する。入力信号が記録されている場合はステップＳ６に、記録されていない場合はステップＳ７に進む。
ステップＳ６  最新入力タイミングで出力（直接出力）を行う。
ステップＳ７  学習入力タイミングで出力（学習出力）を行う。
ステップＳ８  出力間隔監視用タイマ１６がタイムアップしたかどうかを判断する。出力間隔監視用タイマ１６がタイムアップした場合はステップＳ８に進み、タイムアップしていない場合はリターンする。
ステップＳ９  警報を発生させ、リターンする。
【００５３】
なお、本発明は前記実施の形態に限定されるものではなく、本発明の趣旨に基づいて種々変形させることが可能であり、それらを本発明の範囲から排除するものではない。
【図面の簡単な説明】
【００５４】
【図１】本発明の実施の形態における充填機制御装置の制御ブロック図である。
【図２】本発明の実施の形態における包装容器製造装置の充填機を示す概念図である。
【図３】本発明の実施の形態における充填機制御装置の動作を示すフローチャートである。
【符号の説明】
【００５５】
１２    第１のセンサ
１３    入出力制御部
７０    充填機制御装置
【図１】
2008155974.tif 000003
【図２】
2008155974.tif 000004
【図３】
2008155974.tif 000005